(57)【要約】      （修正有）【課題】鍵の抜き差しがよりスムーズに行なわれ、開閉の動作が容易になるだけでなく、破壊されたり、ピッキングされたりするのを防ぐディスクタンブラ型シリンダ錠の軸柱構造を提供する。【解決手段】外筒、軸柱、複数のディスクタンブラ３ｂ、複数のバネ４、複数のリベット型板片７および複数のＵ字型固定板８を含む。軸柱軸身とリベット型板片７とが一体成型されて円形軸柱体２０となる。リベット型板片７は、二つのディスクタンブラ３ｂが共用するバネ４上に設けられている。ディスクタンブラ３ｂおよびバネ４は、それぞれ一体成型された円形軸柱体２０内に配置され、リベット型板片７により圧縮されると、円形軸柱体２０内に固定される。さらに、Ｕ字型凹溝２４の中間にＵ字型固定板８が挿着される。【選択図】図２
0003158757.tif 000002
【実用新案登録請求の範囲】
【請求項１】
外筒、軸柱、ディスクタンブラ、バネ、リベット型板片およびＵ字型固定板を含むディスクタンブラ型シリンダ錠の軸柱構造であって、
前記バネを共用する径方向に対向する二つの前記ディスクタンブラが配置されるＵ字型凹溝と、
前記Ｕ字型凹溝の中間に配置される前記Ｕ字型固定板と、
二つの前記ディスクタンブラが共用する前記バネ上において、二つの前記ディスクタンブラの一側と他側との少なくとも一方に設けられた、前記バネを前記Ｕ字型凹溝に固定させる前記リベット型板片と、
前記軸柱の軸身と前記リベット型板片とが一体成型されてなる円形軸柱体と、
を含み、
前記ディスクタンブラおよび前記バネは、一体成型された前記円形軸柱体内に配置され、前記バネが前記リベット型板片により圧縮されることにより、前記円形軸柱体内に固定され、
前記ディスクタンブラおよび前記バネが前記円形軸柱体内に固定された状態で、前記Ｕ字型凹溝の中間に前記Ｕ字型固定板が挿着されることにより、前記円形軸柱体が組み立てられる構造を有していることを特徴とするディスクタンブラ型シリンダ錠の軸柱構造。
【考案の詳細な説明】
【技術分野】
【０００１】
本考案は、ディスクタンブラ型シリンダ錠の軸柱構造に関し、特に、鍵の抜き差しがよりスムーズに行なわれ、開閉の動作が容易になるだけでなく、破壊されたり、ピッキングされたりすることを防ぐディスクタンブラ型シリンダ錠の軸柱構造に関する。
【背景技術】
【０００２】
図７に示すように、従来のディスクタンブラ型シリンダ錠は、外筒１ａ、内筒２ａ、ディスクタンブラ３ａ及びバネ４ａからなる。外筒１ａは、軸方向に貫通する孔に筒体１１ａを備える。内筒２ａは、前方の端部に端部キャップ２２が設けられるとともに、後方の端部に駆動部２３が設けられ、外筒１ａの筒体１１ａ内に、ぴったりと納まる軸柱２０ａを有する。
【０００３】
図８及び図９に示すように、軸柱２０ａは、径方向に複数の長方形の穿孔２４ａを有し、長方形の穿孔２４ａの両側にＣ字形柱孔２５、及びＵ字を呈するＵ字形柱孔２６をそれぞれ有し、各孔２４ａ、２５、２６に、複数のディスクタンブラ３ａ及びバネ４ａが配置される。
【０００４】
従来のディスクタンブラ型シリンダ錠のディスクタンブラ３ａは、タンブラ本体３０の中心にディスクタンブラの開口３１を有すると共に、バネ４ａを押し上げる側部突起３２及び嵌合突起３４をそれぞれ有する。
【０００５】
ディスクタンブラ３ａを内筒２ａの軸柱２０ａの長方形の穿孔２４ａ内に配置する際には、先にバネ４ａを長方形の穿孔２４ａの他の側にあるＣ字形柱孔２５の中に配置してから、ディスクタンブラ３ａを長方形の穿孔２４ａ内に配置する。
【０００６】
組立作業において、ディスクタンブラ３ａのタンブラ本体３０の片側にある側部突起３２は、Ｃ字形柱孔２５に沿ってスムーズに挿入される。タンブラ本体３０の嵌合突起３４は、同様に長方形の穿孔２４ａのＣ字形柱孔２５に沿って挿入される。
【０００７】
これらの挿入操作において、嵌合突起３４はＣ字形柱孔２５に対応する長方形の穿孔２４ａの内壁を摩擦しながら長方形の穿孔２４ａのＵ字形柱孔２６に到達して、図８及び図９に示すように、Ｕ字形柱孔２６の底部に嵌合する。
【０００８】
その後、内筒２ａを外筒１ａの筒体１１ａ内に配置し、ディスクタンブラ型シリンダ錠を組み立てる。
【０００９】
しかしながら、ディスクタンブラ３ａが内筒２ａの軸柱２０ａの各長方形の穿孔２４ａ内に挿入される際、スムーズに挿入できず、組立工程に影響を与えてしまうといった問題があった。
【００１０】
また、ディスクタンブラ３ａは、各長方形の穿孔２４ａ内への挿入が完了し、タンブラ本体３０の嵌合突起３４がＵ字形柱孔２６の底部に嵌合されても、嵌合突起３４の長さが足りなく、その上、バネ４ａの弾力を受け外側に押されるため、ディスクタンブラ３ａが長方形の穿孔２ａから外側へ飛び出してしまうといった問題がよく起きることから、内筒２ａを外筒１ａの筒体１１ａ内に配置し、ディスクタンブラ型シリンダ錠を組み立てる動作が困難になり、製作工程に影響を与えてしまうといった問題もあった。
【００１１】
ここで、特許文献１には、ディスクタンブラとバネを配置するのが容易であり、ジグザグ状に曲がりくねった鍵孔を設ける動作が容易に行なえ、破壊されたり、ピッキングされたりすることを防ぐことができるディスクタンブラ型シリンダ錠の軸柱構造が開示されている。  
【先行技術文献】
【特許文献】
【００１２】
【特許文献１】実用新案登録第３１３３６４７号公報
【考案の概要】
【考案が解決しようとする課題】
【００１３】
しかしながら、特許文献１に構成に改良を加え、構造上さらに優れたディスクタンブラ型シリンダ錠の軸柱構造が望まれていた。
【００１４】
本考案の目的は、上記事情に鑑みてなされたものであり、鍵の抜き差しがよりスムーズに行なわれ、開閉の動作が容易になるだけでなく、破壊されたり、ピッキングされたりするのを防ぐディスクタンブラ型シリンダ錠の軸柱構造を提供することにある。
【課題を解決するための手段】
【００１５】
上述の目的を達成するため、本考案は、ディスクタンブラ型シリンダ錠の軸柱構造を提供する。本考案のディスクタンブラ型シリンダ錠の軸柱構造は、外筒、軸柱、複数のディスクタンブラ、複数のバネ、複数のリベット型板片および複数のＵ字型固定板を含む。軸柱軸身とリベット型板片とが一体成型されて円形軸柱体となる。リベット型板片は、二つのディスクタンブラが共用するバネ上に設けられている。ディスクタンブラおよびバネは、それぞれ一体成型された円形軸柱体内に配置され、リベット型板片により圧縮されると、円形軸柱体内に固定される。さらに、Ｕ字型凹溝の中間にＵ字型固定板が挿着される。
【考案の効果】
【００１６】
本考案によれば、鍵の抜き差しがよりスムーズに行なわれ、開閉の動作が容易になるだけでなく、破壊されたり、ピッキングされたりするのを防ぐディスクタンブラ型シリンダ錠の軸柱構造を提供することができる。
【図面の簡単な説明】
【００１７】
【図１】本考案のディスクタンブラ型シリンダ錠の軸柱構造を示す斜視図
【図２】本考案のディスクタンブラ型シリンダ錠の軸柱構造を示す分解斜視図
【図３】本考案の軸柱軸身と、右側または左側に位置するリベット型板片とが一体成型されてなる円形軸柱体を示す斜視図
【図４】図３の断面図
【図５】本考案の軸柱軸身と、左右両側に位置するリベット型板片とが一体成型されてなる円形軸柱体を示す斜視図
【図６】図５の断面図
【図７】従来のディスクタンブラ型シリンダ錠を示す分解斜視図
【図８】従来のディスクタンブラ型シリンダ錠のディスクタンブラ及びスプリングを配置した状態を示す断面図
【図９】図８で示したディスクタンブラの隣に配置されたもう１つのディスクタンブラ及びスプリングの状態を示す断面図
【考案を実施するための形態】
【００１８】
以下、本考案の実施形態を図面に基づいて説明する。  
図１および図２を参照する。図１は、本考案のディスクタンブラ型シリンダ錠の軸柱構造を示す斜視図である。図２は、本考案のディスクタンブラ型シリンダ錠の軸柱構造を示す分解斜視図である。
【００１９】
図１および図２に示すように、本考案のディスクタンブラ型シリンダ錠は、外筒１、軸柱２、複数のディスクタンブラ３ｂ、３ｃ、複数のバネ４、複数のリベット型板片７および複数のＵ字型固定板８を含む。
【００２０】
尚、外筒１および軸柱２の構造と、軸柱２が収納される方法とは、従来技術と同様であるため、詳細な説明は割愛する。
【００２１】
図３〜６を参照する。図３は、本考案の軸柱軸身と、右側または左側に位置するリベット型板片とが一体成型されてなる円形軸柱体を示す斜視図である。図４は、図３の断面図である。図５は、本考案の軸柱軸身と、左右両側に位置するリベット型板片とが一体成型されてなる円形軸柱体を示す斜視図である。図６は、図５の断面図である。
【００２２】
図３〜６に示すように、本考案のディスクタンブラ型シリンダ錠は、外筒１、軸柱２、複数のディスクタンブラ３ｂ、３ｃ、複数のバネ４、複数のリベット型板片７および複数のＵ字型固定板８を含む。
【００２３】
軸柱２軸身とリベット型板片７とが一体成型されて円形軸柱体２０となる。リベット型板片７は、二つのディスクタンブラ３ｂ、３ｃが共用するバネ４上に設けられている。尚、リベット型板片７は、全て一側である右側に設けられてもよいし、図３および図４に示すように、全て他側である左側に設けられてもよい。また、図５および図６に示すように、左右両側に設けてもよい。
【００２４】
ディスクタンブラ３ｂ、３ｃおよびバネ４は、それぞれ一体成型された円形軸柱体２０内に配置され、リベット型板片７により圧縮されると、円形軸柱体２０内に固定される。
【００２５】
さらに、Ｕ字型凹溝２４の中間にＵ字型固定板８が挿着される。このように軸柱２が組み立てられることにより、鍵の抜き差しがよりスムーズに行なわれ、開閉の動作が容易になる。また、破壊されたり、ピッキングされたりすることを防ぐことができる。
【００２６】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００２７】
１…外筒
２…軸柱
３ｂ…ディスクタンブラ
３ｃ…ディスクタンブラ
４…バネ
７…リベット型板片
８…Ｕ字型固定板
１０…筒体
１１…軸孔
１２…係合溝
２０…円形軸柱体
２４…Ｕ字型凹溝
２１１…鍵孔
【図１】
0003158757.tif 000003
【図２】
0003158757.tif 000004
【図３】
0003158757.tif 000005
【図４】
0003158757.tif 000006
【図５】
0003158757.tif 000007
【図６】
0003158757.tif 000008
【図７】
0003158757.tif 000009
【図８】
0003158757.tif 000010
【図９】
0003158757.tif 000011